(57)【要約】【課題】漏水を低減させることができるバルコニーを提供することを目的としている。【解決手段】建物躯体の側壁側から軒先側に並行させて延設した妻桁と、  妻桁の先端部を接続する前桁３と、  前桁３内に設けられている集水枡１８と、を有し、  前桁３には、当該前桁３側に流れ落ちた雨水を集水枡１８へ案内する上部前桁雨樋３ａ、中間前桁雨樋３ｂが設けられ、  上部前桁雨樋３ａ，中間前桁雨樋３ｂの一端部には、集水枡１８外に前桁３側に流れ落ちた雨水が案内されないように、当該雨水が貯留されない上部前桁雨樋３ａの非貯留部３ａ１，中間前桁雨樋３ｂの非貯留部３ｂ１が設けられ、他端部には、前桁３側に流れ落ちた雨水を貯留し集水枡１８へ案内する上部前桁雨樋３ａの貯留案内部３ａ２，中間前桁雨樋３ｂの貯留案内部３ｂ２が設けられてなる。【選択図】図２
2018044410.tif 000002
【特許請求の範囲】
【請求項１】
建物躯体の側壁側から軒先側に並行させて延設した妻桁と、
前記妻桁の先端間を接続する前桁と、
前記前桁内に設けられている集水枡と、を有し、
前記前桁には、当該前桁側に流れ落ちた雨水を前記集水枡へ案内する前桁雨樋が設けられ、
前記前桁雨樋の一端部には、前記集水枡外に前記前桁側に流れ落ちた雨水が案内されないように、当該雨水が貯留されない非貯留部が設けられ、他端部には、前記前桁側に流れ落ちた雨水を貯留し前記集水枡へ案内する貯留案内部が設けられてなるバルコニー。
【請求項２】
前記非貯留部は、前記前桁雨樋の一端部を傾斜させて形成されてなる請求項１に記載のバルコニー。
【発明の詳細な説明】
【技術分野】
【０００１】
本発明は、建物躯体の側壁から張り出して設けられるバルコニーに関する。
【背景技術】
【０００２】
近年、バルコニーは、建物の外観に優れている等の観点から、新築やリフォームの際に施工する例が増えてきている。例えば、特許文献１に記載のようなバルコニーが知られている。このバルコニーは、前桁に取り付けた前桁側面化粧板に形成される前桁雨樋と、妻桁に取り付けた妻桁側面化粧板に形成される妻桁雨樋に対し、床面から雨水などが流れ落ちるというものである。この前桁雨樋と妻桁雨樋は連続しており、前桁雨樋に流れ落ちた雨水などは、左右の妻桁雨樋へと流入し、各妻桁雨樋の端部から排水されることとなっている。
【０００３】
ところで、近年、このようなバルコニーに代え、前桁雨樋に流れ落ちた雨水を前桁内に設けられている集水枡に排水し、その集水枡より外部へ排水するというバルコニーが知られている。
【先行技術文献】
【特許文献】
【０００４】
【特許文献１】特許第３６５０９６４号
【発明の概要】
【発明が解決しようとする課題】
【０００５】
しかしながら、このようなバルコニーは、前桁雨樋に流れ落ちる雨水を的確に集水枡に排水することができないことがあり、もって、漏水の原因となるという問題があった。
【０００６】
そこで、本発明は、上記問題に鑑み、漏水を低減させることができるバルコニーを提供することを目的としている。
【課題を解決するための手段】
【０００７】
上記本発明の目的は、以下の手段によって達成される。なお、括弧内は、後述する実施形態の参照符号を付したものであるが、本発明はこれに限定されるものではない。
【０００８】
請求項１の発明によれば、建物躯体（Ｋ）の側壁側から軒先側に並行させて延設した妻桁（２）と、
前記妻桁（２）の先端間（先端部２ｂ）を接続する前桁（３）と、
前記前桁（３）内に設けられている集水枡（１８）と、を有し、
前記前桁（３）には、当該前桁（３）側に流れ落ちた雨水を前記集水枡（１８）へ案内する前桁雨樋（上部前桁雨樋３ａ、中間前桁雨樋３ｂ）が設けられ、
前記前桁雨樋（上部前桁雨樋３ａ，中間前桁雨樋３ｂ）の一端部には、前記集水枡（１８）外に前記前桁（３）側に流れ落ちた雨水が案内されないように、当該雨水が貯留されない非貯留部（上部前桁雨樋３ａの非貯留部３ａ１，中間前桁雨樋３ｂの非貯留部３ｂ１）が設けられ、他端部には、前記前桁（３）側に流れ落ちた雨水を貯留し前記集水枡（１８）へ案内する貯留案内部（上部前桁雨樋３ａの貯留案内部３ａ２，中間前桁雨樋３ｂの貯留案内部３ｂ２）が設けられてなることを特徴としている。
【０００９】
また、請求項２の発明によれば、上記請求項１に記載のバルコニーにおいて、前記非貯留部（上部前桁雨樋３ａの非貯留部３ａ１，中間前桁雨樋３ｂの非貯留部３ｂ１）は、前記前桁雨樋（上部前桁雨樋３ａ、中間前桁雨樋３ｂ）の一端部を傾斜させて形成されてなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１に係る発明によれば、前桁雨樋（上部前桁雨樋３ａ，中間前桁雨樋３ｂ）の一端部には、集水枡（１８）外に前桁（３）側に流れ落ちた雨水が案内されないように、当該雨水が貯留されない非貯留部（上部前桁雨樋３ａの非貯留部３ａ１，中間前桁雨樋３ｂの非貯留部３ｂ１）が設けられ、他端部には、前桁（３）側に流れ落ちた雨水を貯留し集水枡（１８）へ案内する貯留案内部（上部前桁雨樋３ａの貯留案内部３ａ２，中間前桁雨樋３ｂの貯留案内部３ｂ２）が設けられているから、図３に示すような集水枡（１８）と前桁（３）との間の隙間（Ｓ）に雨水が案内されないこととなり、もって、集水枡（１８）に雨水を的確に排水することができる。
【００１２】
よって、本発明によれば、漏水を低減させることができる。
【００１３】
また、請求項２に係る発明によれば、非貯留部（上部前桁雨樋３ａの非貯留部３ａ１，中間前桁雨樋３ｂの非貯留部３ｂ１）は、前桁雨樋（上部前桁雨樋３ａ、中間前桁雨樋３ｂ）の一端部を傾斜させて形成されているから、製作が容易であるばかりか、止水テープ等の新たな材料を使う必要がないため、製造コストを低減させることができる。
【図面の簡単な説明】
【００１４】
【図１】（ａ）は本発明の一実施形態に係るバルコニーの正面図、（ｂ）は同バルコニーの側面図、（ｃ）は同バルコニーの平面図である。
【図２】（ａ）は同実施形態に係る前桁の背面（建物躯体側）に位置する部分の一部を示した斜視図、（ｂ）は同実施形態に係る第１の根太の断面図、（ｃ）は同実施形態に係る第２の根太の断面図である。
【図３】図１（ｃ）のＸ−Ｘ線断面図の一部を省略した図である。
【発明を実施するための形態】
【００１５】
以下、本発明に係るバルコニーの一実施形態を、図面を参照して具体的に説明する。なお、以下の説明において、上下左右の方向を示す場合は、図示正面から見た場合の上下左右をいうものとする。
【００１６】
本実施形態に係るバルコニー１は、戸建住宅や集合住宅或いは施設建物等に使用されるものであって、図１に示すように、建物躯体Ｋの側壁に基端部２ａ（図１（ｂ）参照）が図示しないボルト等によって取付け固定され、その基端部２ａから軒先側に延設して設けられた側面視矩形状の妻桁２が、図１（ａ）に示すように左右に並行に設けられ、その左右に並行に設けられている妻桁２の先端部２ｂに前桁３が接続され、その前桁３及び妻桁２には、複数の支柱４がビス４ａ（図３参照）を介して立設固定されている。そして、これら支柱４の上端間を結びように笠木からなる手摺り５が接続され、これら支柱４を結ぶように一定間隔置きに横化粧格子パネル６が支柱４にビス（図示せず）を介して取付け固定され、そして、前桁３と妻桁２とで囲まれた部分に、図１（ｃ）に示すように、床板材７が敷設されているというものである。
【００１７】
ところで、左右に並行に設けられている妻桁２の先端部２ｂに前桁３を接続するにあたっては、図３に示す断面視Ｌ字状に形成されている接続金具１０を用いて行われる。具体的には、この接続金具１０は、妻桁２の先端部２ｂと前桁３との接続が可能なようにコーナ部分の形状に対応してＬ字形状に形成されており、図３に示すように、接続金具１０の一端部１０ａが、前桁３の上部より突出している上部前桁雨樋３ａにビス１０ａ１を介して接続されている。そして、図示はしないが、接続金具１０の他端部がビスを介して妻桁２が接続されている。これにより、妻桁２の先端部２ｂと前桁３とが接続金具１０を介して接続されることとなる。
【００１８】
一方、床板材７の下部には、床板材７を支持するために、図２（ａ）に示すように、左右両端部に上面が開放された断面視略Ｕ字形状の第１の根太１１（図２（ｂ）も参照）が設けられ、この一対の第１の根太１１の間には、断面視略矩形状の第２の根太１２（図２（ｃ）も参照）が複数（図２（ａ）では４個）設けられている。この第１の根太１１は、図２（ｂ）に示すように、上面が開放された断面視Ｕ字形状の本体部１１ａと、この本体部１１ａの一側面（図示では右側面、これは、図２（ａ）の左に位置する第１の根太１１の断面図に相当。図２（ａ）の右に位置する第１の根太１１の場合は、左側面）に一体的に形成されている断面視Ｌ字状の受け部１１ｂとで構成されている。このように構成される第１の根太１１は、図３に示すように、軒先側に向って下り傾斜しており、本体部１１ａの基端部１１ａ１が、建物躯体Ｋの側壁に複数のボルト１３を介して取付け固定されている断面視略コ字状の根太掛１４にビス１４ａを介して取付け固定され、受け部１１ｂの先端部１１ｂ１が前桁３の中間部より突出している中間前桁雨樋３ｂにビス３ｂａを介して取付け固定されている。そして、この第１の根太１１の上部には、図２（ａ）及び図３に示すように、ルーフドレン１６が設けられている。このルーフドレン１６は、図１（ｃ）に示すように、床板材７が敷設されている前桁３と妻桁２とで囲まれた部分の前部にバルコニー１の長手方向に延設している断面視略コ字状（図３参照）の排水溝１５の左右両端に設けられており、この排水溝１５の雨水を外部へ排水するものである。しかして、このルーフドレン１６より排水された雨水は、上面が開放された断面視略Ｕ字形状の第１の根太１１（本体部１１ａ）内に貯留されることとなる。なお、この第１の根太１１の上部には、さらに、図３に示すように、床板材７が所定間隔置きに設けられたビス７ａを介して取付け固定され、さらに、排水溝１５がビス１５ａを介して取付け固定されている。
【００１９】
一方、第２の根太１２は、図２（ｃ）に示すように、断面視矩形状の支持部１２ａと、この支持部１２ａの下面に一体的に形成されている断面視コ字状の受け部１２ｂとで構成されている。このように構成される第２の根太１２は、第１の根太１１と同様、軒先側に向って下り傾斜しており、図示はしないが、支持部１２ａの基端部が第１の根太１１と同様、根太掛１４（図３参照）にビス（図示せず）を介して取付け固定され、受け部１２ｂの先端部が前桁３の中間部より突出している中間前桁雨樋３ｂにビス（図示せず）を介して取付け固定されている。
【００２０】
かくして、このように構成される第２の根太１２の支持部１２ａの上面には、図２（ａ）に示すように、床板材７が敷設されている。
【００２１】
ところで、バルコニー１の床板材７に滴下された雨水は、通常、図１（ｃ），図２（ａ），図３に示す排水溝１５に流れていき、この排水溝１５の左右両端に設けられているルーフドレン１６より外部へ排水されるものである。しかしながら、排水溝１５に流れず床板材７から第１の根太１１又は第２の根太１２側に漏水する可能性もある。
【００２２】
そこで、本実施形態においては、第１の根太１１に、図２（ｂ）に示すように、本体部１１ａの一側面に断面視Ｌ字状の受け部１１ｂを設け、第２の根太１２に、図２（ｃ）に示すように、支持部１２ａの下面に断面視コ字状の受け部１２ｂを設け、漏水した雨水を受けるようにしている。これにより、第１の根太１１の受け部１１ｂにて受けた雨水は、第１の根太１１が軒先側に向って下り傾斜し、受け部１１ｂの先端部１１ｂ１が前桁３の中間部より突出している中間前桁雨樋３ｂにビス３ｂａを介して取付け固定されているから、その中間前桁雨樋３ｂに流れることとなる。そしてさらに、第２の根太１２の受け部１２ｂにて受けた雨水は、第２の根太１２が、第１の根太１１と同様、軒先側に向って下り傾斜し、受け部１２ｂの先端部が前桁３の中間部より突出している中間前桁雨樋３ｂにビス（図示せず）を介して取付け固定されているから、その中間前桁雨樋３ｂに流れることとなる。
【００２３】
かくして、中間前桁雨樋３ｂに流れた雨水は、図２（ａ）及び図３に示すように、中間前桁雨樋３ｂより下方に位置し、前桁３の左右側端部に設けられている集水枡１８に排水されることとなる。
【００２４】
ここで、本発明の特徴とするところは、前桁３の中間部より突出している中間前桁雨樋３ｂと、前桁３の上部より突出している上部前桁雨樋３ａに関するところであるため、この点について、以下、詳しく説明する。
【００２５】
中間前桁雨樋３ｂは、図２（ａ），図３に示すように、一端部に形成されている非貯留部３ｂ１と、他端部に形成されている貯留案内部３ｂ２とで一体的に形成されている。非貯留部３ｂ１は、図２（ａ）及び図３に示すように、軒先側から建物躯体Ｋ側に向かって下り傾斜して形成され、貯留案内部３ｂ２は断面視コ字状に形成されている。これにより、中間前桁雨樋３ｂに流れた雨水は、貯留案内部３ｂ２に貯留され、非貯留部３ｂ１が下り傾斜していることから、非貯留部３ｂ１に雨水が流れたとしても貯留案内部３ｂ２側へ流れることとなり、もって、貯留案内部３ｂ２に貯留されることとなる。そして、このように、貯留案内部３ｂ２に貯留された雨水は、図２（ａ）に示すように、前桁３の左右側端部に設けられている集水枡１８側に案内され、その集水枡１８にそれぞれ排水（矢印Ｙ１参照）されることとなる。
【００２６】
ところで、非貯留部３ｂ１を下り傾斜させているのは、次の理由によるものである。すなわち、非貯留部３ｂ１を下り傾斜させず、平坦にすると、当然、非貯留部３ｂ１にも、雨水が貯留されることとなる。そして、その非貯留部３ｂ１に貯留された雨水は、前桁３の左右側端部に設けられている集水枡１８にそれぞれ排水されることとなる。しかしながら、その際、図３に示すように、集水枡１８の左端部（軒先側）と前桁３との間には、僅かな隙間Ｓがある（後述するように、集水枡１８は、前桁３及び妻桁２に取り付けられるもので、前桁３及び妻桁２と一体形成されているわけではないから、どうしても僅かな隙間が生じる）ことから、この隙間Ｓに集水枡１８に排水されるはずの雨水が流れてしまう可能性があり、もって、的確に集水枡１８に雨水を排水することができない可能性がある。そこで、そのような事態を避けるべく、本実施形態においては、このような隙間Ｓに雨水が流れそうな所に雨水が貯留されないように、下り傾斜させた非貯留部３ｂ１を中間前桁雨樋３ｂに設けるようにしている。これにより、集水枡１８に確実に排水できる箇所、すなわち、中間前桁雨樋３ｂの貯留案内部３ｂ２に雨水が貯留されることとなるから、中間前桁雨樋３ｂに流れた雨水を集水枡１８に確実に排水することができることとなる。
【００２７】
なお、本実施形態においては、非貯留部３ｂ１を下り傾斜させることによって、雨水が貯留されないようにしたが、それに限らず、非貯留部３ｂ１を平坦にし、止水テープを貼着するようにしても良い。しかしながら、非貯留部３ｂ１を下り傾斜させた方が、製作が容易であるばかりか、止水テープ等の新たな材料を使う必要がないため、製造コストを低減させることができるため、好ましい。
【００２８】
一方、上部前桁雨樋３ａは、図２（ａ），図３に示すように、一端部に形成されている非貯留部３ａ１と、他端部に形成されている貯留案内部３ａ２とで一体的に形成されており、非貯留部３ａ１は、図３に示すように、軒先側から建物躯体Ｋ側に向かって下り傾斜して形成され、貯留案内部３ａ２は断面視Ｌ字状に形成されている。これにより、例えば、図３に示すビス４ａを伝って雨水が滴下してきたとしても、図３に示すように、上部前桁雨樋３ａがビス４ａの下部に設けられていることから、この上部前桁雨樋３ａにてその雨水を受けることができ、もって、漏水を低減させることができる。より具体的に説明すると、ビス４ａを伝って滴下してきた雨水は、上部前桁雨樋３ａの貯留案内部３ａ２に貯留され、非貯留部３ａ１が下り傾斜していることから、非貯留部３ａ１に雨水が流れたとしても貯留案内部３ａ２側へ流れることとなり、もって、貯留案内部３ａ２に貯留されることとなる。そして、このように、貯留案内部３ａ２に貯留された雨水は、図２（ａ）に示すように、前桁３の左右側端部に設けられている集水枡１８側に案内され、その集水枡１８にそれぞれ排水（矢印Ｙ２参照）されることとなる。
【００２９】
ところで、非貯留部３ａ１を下り傾斜させているのは、上記中間前桁雨樋３ｂの非貯留部３ｂ１を下り傾斜させている理由と同一である。そのため、ここでは説明を省略する。なお、本実施形態においては、非貯留部３ａ１を下り傾斜させることによって、雨水が貯留されないようにしたが、それに限らず、非貯留部３ａ１を平坦にし、止水テープを貼着するようにしても良い。しかしながら、非貯留部３ａ１を下り傾斜させた方が、製作が容易であるばかりか、止水テープ等の新たな材料を使う必要がないため、製造コストを低減させることができるため、好ましい。
【００３０】
かくして、上記のように中間前桁雨樋３ｂ、上部前桁雨樋３ａにて案内され、集水枡１８に排水された雨水は外部に排水されることとなる。より詳しく説明すると、集水枡１８は、樹脂等からなり、図３に示すように、上面が開放された有底の側面視略台形状に形成されており、雨水を貯留できるようになっている。そして、この集水枡１８は、下部に一体形成されている矩形状の妻桁用取付金具１８ａによって、ビス１８ａ１を介して妻桁２に取付け固定され、さらに、下部に一体形成されている断面視矩形状の前桁用取付金具１８ｂによって、ビス１８ｂ１を介して前桁３の下部より突出している断面視逆Ｌ字状の下部取付縁部３ｃに取付け固定されている。これにより、集水枡１８は、上部前桁雨樋３ａ及び中間前桁雨樋３ｂの下部に配置され、もって、前桁３内に配置されることとなる。またさらに、この集水枡１８の上部には、図３に示すように、第１の根太１１（本体部１１ａ）の前部に鉛直方向に向って取付け固定されている円筒状の排水パイプ１７が設けられており、この排水パイプ１７の下端部１７ａに、集水枡１８が配置されることとなる。これにより、上述したように第１の根太１１（本体部１１ａ）内に貯留されているルーフドレン１６より排水された雨水は、第１の根太１１が軒先側に向って下り傾斜していることにより、排水パイプ１７を通って、集水枡１８に排水されることとなる。
【００３１】
しかして、このように、中間前桁雨樋３ｂ、上部前桁雨樋３ａにて案内され、集水枡１８に排水された雨水、並びに、排水溝１５の左右両端（図１（ｃ）参照）に設けられているルーフドレン１６を介して第１の根太１１（本体部１１ａ）内に排水され、そして、排水パイプ１７を通って、集水枡１８に排水された雨水は、次のように外部へ排水される。すなわち、図２（ａ），図３に示すように、集水枡１８に妻桁２と平行となる方向に一体的に突出して設けられている妻桁横樋取付部１８ｃには、塩化ビニル等で形成された円筒状のパイプからなる妻桁横樋１９が接続され、この妻桁横樋１９は、図３に示すように、建物躯体Ｋ側に向って下り傾斜しており、塩化ビニル等で形成された円筒状のパイプからなる縦樋２０と連通されている。これにより、集水枡１８に排水された雨水は、妻桁横樋１９並びに縦樋２０を通って外部に排水されることとなる。
【００３２】
かくして、中間前桁雨樋３ｂ、上部前桁雨樋３ａにて流れてきた雨水、並びに、排水溝１５の雨水は、集水枡１８に集約されて、外部に排水されることとなる。
【００３３】
ところで、図３に示す符号３０は、軒天パネルで、軒天井を形成するものである。この軒天パネル３０は、図３に示すように断面視矩形状に形成され、前桁３の下部に配置されると共に軒先側に向って下り傾斜するように、図３に示すように、基端部３０ａが、ボルト（図示せず）を介して建物躯体Ｋに取付け固定されている軒天ランナー３１に、ビス（図示せず）を介して取付け固定され、先端部３０ｂが、ビス１８ｂ１を介して前桁３の下部より突出している断面視逆Ｌ字状の下部取付縁部３ｃに取付け固定されている断面視Ｌ字状の軒天取付金具３２に、ビス３２ａを介して取付け固定されている。そして、このようにして前桁３の下部に配置されると共に軒先側に向って下り傾斜するように配置された軒天パネル３０の先端部３０ｂと前桁３との間には、図３に示すように、隙間ができるようにしている。これにより、軒天パネル３０に流れてきた雨水が軒先側より排水されることとなる。
【００３４】
しかして、以上説明した本実施形態によれば、前桁３に設けられている上部前桁雨樋３ａは、一端部に、集水枡１８と前桁３との間の隙間Ｓに雨水が案内されないように、当該雨水が貯留されない非貯留部３ａ１を設け、他端部に、前桁３側に流れ落ちた雨水を貯留し集水枡１８へ案内する貯留案内部３ａ２を設けているから、上部前桁雨樋３ａに流れ落ちた雨水を的確に集水枡１８に排水することができ、もって、漏水を低減させることができる。
【００３５】
そしてさらに、上部前桁雨樋３ａの非貯留部３ａ１は、上部前桁雨樋３ａの一端部を下り傾斜させて形成されているから、製作が容易であるばかりか、止水テープ等の新たな材料を使う必要がないため、製造コストを低減させることができる。
【００３６】
また一方、前桁３に設けられている中間前桁雨樋３ｂも、一端部に、集水枡１８と前桁３との間の隙間Ｓに雨水が案内されないように、当該雨水が貯留されない非貯留部３ｂ１を設け、他端部に、前桁３側に流れ落ちた雨水を貯留し集水枡１８へ案内する貯留案内部３ｂ２を設けているから、中間前桁雨樋３ｂに流れ落ちた雨水を的確に集水枡１８に排水することができ、もって、漏水を低減させることができる。
【００３７】
そしてさらに、中間前桁雨樋３ｂの非貯留部３ｂ１も、中間前桁雨樋３ｂの一端部を下り傾斜させて形成されているから、製作が容易であるばかりか、止水テープ等の新たな材料を使う必要がないため、製造コストを低減させることができる。
【００３８】
なお、本実施形態において示した形状等はあくまで一例であり、特許請求の範囲に記載された本発明の要旨の範囲内において、種々の変形・変更が可能である。
【符号の説明】
【００３９】
１              バルコニー
２              妻桁
２ｂ          （妻桁の）先端部（先端）
３              前桁
３ａ            上部前桁雨樋（前桁雨樋）
３ａ１          非貯留部
３ａ２          貯留案内部
３ｂ            中間前桁雨樋（前桁雨樋）
３ｂ１          非貯留部
３ｂ２          貯留案内部
１８            集水枡
Ｋ              建物躯体
Ｓ              隙間
【図１】
2018044410.tif 000003
【図２】
2018044410.tif 000004
【図３】
2018044410.tif 000005